(57)【特許請求の範囲】
【請求項１】
カラー画像が形成された印刷物に保護膜を被覆させて得られた保護膜付印刷物の光学的特性に応じてカラーマッチング用のプロファイルを生成するプロファイル生成装置であって、
前記印刷物に形成された所定の複数色のそれぞれに対応する分光データ、保護膜の分光データ及び観察光源の分光データを記憶する記憶部と、
前記印刷物の種類、前記保護膜の種類及び前記観察光源の種類を設定する設定部と、
前記記憶部に記憶された分光データのうち、前記設定部により設定された前記印刷物の種類に対応する分光データを第１の分光データとして、設定された前記保護膜の種類に対応する分光データを第２の分光データとして、設定された前記観察光源の種類に対応する分光データを第３の分光データとしてそれぞれ選択する選択部と、
前記選択部により選択された前記第１の分光データ、前記第２の分光データ及び前記第３の分光データを用いて各色の測色値を算出する算出部と、
前記保護膜の分光データ及び前記観察光源の分光データに基づいて前記保護膜及び前記観察光源に起因する分光データを試算し、試算された分光データと標準条件下における基準分光データとの相似性を評価することで評価結果を取得する評価部と、
前記評価部により取得された前記評価結果を表示する表示部と
を有することを特徴とするプロファイル生成装置。
【請求項２】
請求項１記載のプロファイル生成装置において、
前記印刷物の分光データ、前記保護膜の分光データ又は前記観察光源の分光データを取得する取得部をさらに有し、
前記記憶部は、前記取得部により取得された前記印刷物の分光データを前記印刷物の種類と、取得された前記保護膜の分光データを前記保護膜の種類と、取得された前記観察光源の分光データを前記観察光源の種類と、それぞれ対応付けて記憶する
ことを特徴とするプロファイル生成装置。
【請求項３】
請求項１又は２に記載のプロファイル生成装置において、
前記評価部は、各種類の前記保護膜における前記相似性を評価し、
前記表示部は、前記保護膜の種類毎に取得された前記評価結果を一覧表示する
ことを特徴とするプロファイル生成装置。
【請求項４】
請求項１〜３のいずれか１項に記載のプロファイル生成装置において、
前記算出部により算出された前記各色の測色値は、前記プロファイルの生成に使用されることを特徴とするプロファイル生成装置。
【請求項５】
請求項２記載のプロファイル生成装置において、
前記取得部は、カメラと、白色基準板と、異なる周波数帯域通過特性を有する複数の光学フィルタを二次元に配置して形成された複合光学フィルタと、前記白色基準板と前記カメラとの間に前記複合光学フィルタが設けられた配置関係下に前記カメラにより撮影して得られた画像信号に基づき前記観察光源の分光データを推定する推定部とを備える
ことを特徴とするプロファイル生成装置。
【請求項６】
請求項１〜５のいずれか１項に記載のプロファイル生成装置において、
前記設定部は前記観察光源を模擬するための色補正用光学フィルタの種類をさらに設定し、
前記記憶部は前記色補正用光学フィルタの分光データをさらに記憶し、
前記選択部は前記記憶部により記憶された分光データのうち前記設定部により設定された前記色補正用光学フィルタの種類に対応する分光データを第４の分光データとしてさらに選択し、
前記算出部は、前記選択部により選択された前記第４の分光データをさらに用いて前記各色の測色値を算出する
ことを特徴とするプロファイル生成装置。
【請求項７】
請求項１〜６のいずれか１項に記載のプロファイル生成装置において、
前記印刷物の種類には透過画像又は反射画像であることの属性が含まれ、
前記算出部は前記属性に応じて前記各色の測色値を算出する方法を変える
ことを特徴とするプロファイル生成装置。
【請求項８】
カラー画像が形成された印刷物に保護膜を被覆させて得られた保護膜付印刷物の光学的特性に応じてカラーマッチング用のプロファイルを生成するプロファイル生成方法であって、
前記印刷物の種類、前記保護膜の種類及び観察光源の種類を設定する設定ステップと、
予め記憶された、前記印刷物に形成された所定の複数色のそれぞれに対応する分光データ、前記保護膜の分光データ及び前記観察光源の分光データのうち、設定された前記印刷物の種類に対応する分光データを第１の分光データとして、設定された前記保護膜の種類に対応する分光データを第２の分光データとして、設定された前記観察光源の種類に対応する分光データを第３の分光データとしてそれぞれ選択する選択ステップと、
選択された前記第１の分光データ、前記第２の分光データ及び前記第３の分光データを用いて各色の測色値を算出する算出ステップと、
前記保護膜の分光データ及び前記観察光源の分光データに基づいて前記保護膜及び前記観察光源に起因する分光データを試算し、試算された分光データと標準条件下における基準分光データとの相似性を評価することで評価結果を取得する評価ステップと、
取得された前記評価結果を表示させる表示ステップと
をコンピュータに実行させることを特徴とするプロファイル生成方法。
【請求項９】
カラーマッチング用のプロファイルを生成するためにコンピュータを、
印刷物の種類、保護膜の種類及び観察光源の種類を設定する手段、
予め記憶された、前記印刷物に形成された所定の複数色のそれぞれに対応する分光データ、前記保護膜の分光データ及び前記観察光源の分光データのうち、設定された前記印刷物の種類に対応する分光データを第１の分光データとして、設定された前記保護膜の種類に対応する分光データを第２の分光データとして、設定された前記観察光源の種類に対応する分光データを第３の分光データとしてそれぞれ選択する手段、
選択された前記第１の分光データ、前記第２の分光データ及び前記第３の分光データを用いて各色の測色値を算出する手段、
前記保護膜の分光データ及び前記観察光源の分光データに基づいて前記保護膜及び前記観察光源に起因する分光データを試算し、試算された分光データと標準条件下における基準分光データとの相似性を評価することで評価結果を取得する手段、
取得された前記評価結果を表示させる手段
として機能させるためのプロファイル生成プログラム。
【請求項１０】
印刷媒体上にカラー画像を印刷して印刷物を形成する印刷機と、前記印刷機により形成された前記印刷物に保護膜を被覆して保護膜付印刷物を形成する表面処理装置と、前記表面処理装置により形成された前記保護膜付印刷物の光学的特性に応じてカラーマッチング用のプロファイルを生成するプロファイル生成部とを備える印刷システムであって、
前記印刷物の種類、前記保護膜の種類及び観察光源の種類を設定する設定部と、
前記印刷物に形成された所定の複数色のそれぞれに対応する分光データ、前記保護膜の分光データ及び前記観察光源の分光データを記憶する記憶部と、
前記記憶部により記憶された分光データのうち、前記設定部により設定された前記印刷物の種類に対応する分光データを第１の分光データとして、設定された前記保護膜の種類に対応する分光データを第２の分光データとして、設定された前記観察光源の種類に対応する分光データを第３の分光データとしてそれぞれ選択する選択部と、
前記選択部により選択された前記第１の分光データ、前記第２の分光データ及び前記第３の分光データを用いて各色の測色値を算出する算出部と、
前記保護膜の分光データ及び前記観察光源の分光データに基づいて前記保護膜及び前記観察光源に起因する分光データを試算し、試算された分光データと標準条件下における基準分光データとの相似性を評価することで評価結果を取得する評価部と、
前記評価部により取得された前記評価結果を表示する表示部と
を有することを特徴とする印刷システム。
【発明の詳細な説明】
【技術分野】
【０００１】
本発明は、カラー画像が印刷された印刷物に保護膜を被覆させて得られた保護膜付印刷物の光学的特性に応じてカラーマッチング用のプロファイルを生成するプロファイル生成装置、その方法及びプログラム並びに印刷システムに関する。
【背景技術】
【０００２】
近年のインクジェット技術の飛躍的進歩に伴い、インクジェット方式の印刷機による高速・高画質を両立したカラー大判印刷が可能になりつつある。この印刷機は、個人的・家庭的用途だけでなく、最近では、特に商業用途において幅広い分野で用いられている。この印刷機を用いることにより、例えば、店頭ＰＯＰ（Ｐｏｉｎｔ  ｏｆ  Ｐｕｒｃｈａｓｅ）や壁面ポスターのみならず、屋外広告・看板等の大サイズメディア、ロールメディア、厚手の硬質メディアに対しても印刷が可能である。
【０００３】
このような多様な商業的需要に応えるため、印刷に用いられる印刷媒体（以下「メディア」という場合がある。）も多種多彩である。例えば、合成紙・厚紙・アルミ蒸着紙等の紙類、塩化ビニル・ＰＥＴ等の樹脂、繊維織物の両面に合成樹脂フイルムを貼り合わせたターポリン等が用いられる。
【０００４】
広告印刷には需要者の視覚を通じてその購買意欲を喚起させる効果が期待されることから、印刷物（印刷された印刷媒体）の色の仕上がりは特に重要である。従来から、印刷物の色管理手段として、ＩＣＣ（Ｉｎｔｅｒｎａｔｉｏｎａｌ  Ｃｏｌｏｒ  Ｃｏｎｓｏｒｔｉｕｍ）プロファイルの作成方法や、指定色の調整方法等の様々なカラーマッチング技術が多数開示されている。
【０００５】
ところで、この印刷物が掲示される場所も多種多彩であり、屋外のみならず、室内や、スポットライト照明に晒される展示場に掲示される場合もある。一般的には、印刷物の掲示場所の差異に応じて、観察光源としての環境光が有する分光特性（分光エネルギー分布）が変化する。
【０００６】
さらに、印刷物は、透過光源を主光源とする透過画像と、反射光源を主光源とする反射画像とに大別される。透過光源、いわゆるバックライトの一例として、Ｆ２、Ｆ６、Ｆ７光源等の蛍光灯や、ＬＥＤ（Ｌｉｇｈｔ  Ｅｍｉｔｔｉｎｇ  Ｄｉｏｄｅ）、有機ＥＬ（Ｅｌｅｃｔｒｏ−Ｌｕｍｉｎｅｓｃｅｎｃｅ）等が用いられる。
【０００７】
このため、同一の印刷物であっても観察光源が異なる場合は、人間の眼の網膜に最終的に到達する光の分光特性が変化するので、程度の多少はあるが、観察者にとっての印刷物の見え（色の印象）が変動し得る。よって、印刷物形成下の観察環境（つまり、印刷機の設置場所）と掲示場所の観察環境とが著しく相違する場合は、所望の色を有する印刷物が得られないという問題が起こり得る。
【０００８】
そこで、特許文献１には、印刷物の分光データ及び複数の光源分光データを独立に記憶しておき、観察光源を設定する都度その光源に適切なプロファイルを作成する方法及び装置が開示されている。このように構成すれば、少ない測色作業工数の中で各観察光源に対応するプロファイルを作成可能であり、観察光源に応じた適切な印刷物の色管理を行うことができる旨が記載されている。
【先行技術文献】
【特許文献】
【０００９】
【特許文献１】特開２００７−８１５８６号公報
【発明の概要】
【発明が解決しようとする課題】
【００１０】
ところで、インクジェット方式の印刷機により得られる印刷物は、画像の耐久性の観点から、特に擦過性・堅牢性の性能が脆弱となるため、厳しい環境下でその使用に堪えない場合がある。
【００１１】
例えば、光強度の強い放射光に常時晒されている掲示場所においては、インクに配合される色素は化学反応により徐々に分解されるため、カラー画像が徐々に褪色する傾向がみられる。また、室内の床に貼り付ける掲示態様においては、通行人の歩行によって印刷物の表面が擦れるため、カラー画像が傷付けられるおそれがある。
【００１２】
そこで、この印刷物の画像形成面上に、紫外線吸収材の添加やエンボス加工等の機能的処理が施されたラミネートフイルム等の保護膜を被覆することにより、その画像の耐久性を向上させている。この得られた印刷物を、以下「保護膜付印刷物」という。
【００１３】
しかしながら、本発明者の調査・研究結果によれば、ラミネートフイルムは高い透過率を有するものの、可視光波長範囲内では分光透過率が必ずしも平坦ではないため、ラミネートフイルムの有無によりカラー画像の見えが無視できない程度に変化することが見出された。また、市販されているラミネートフイルムの種類も多岐にわたり、それぞれの分光透過率が異なることも見出された。
【００１４】
この場合は、特許文献１に開示された方法及び装置によって、保護膜付印刷物のプロファイルを得るためには、各種印刷物の画像形成面上に各種ラミネートフイルムを被覆した状態、すなわち保護膜付印刷物その物の測色を行わなければならない。ラミネートフイルム及び印刷物のすべての組み合わせに対して厳密な色再現を行おうとすると試料作成及びその測色の作業の煩に堪えないし、ラミネートフイルムの特性を無視すると被覆したラミネートフイルムの種類に応じてカラー画像の見えが変化するという不都合が生じる。
【００１５】
本発明は上記した問題を解決するためになされたもので、保護膜付印刷物の色再現精度を低下させることなく、印刷、保護膜の被覆及び測色の作業工数を大幅に低減可能なプロファイル生成装置、その方法及びプログラム並びに印刷システムを提供することを目的とする。
【課題を解決するための手段】
【００１６】
本発明は、カラー画像が形成された印刷物に保護膜を被覆させて得られた保護膜付印刷物の光学的特性に応じてカラーマッチング用のプロファイルを生成するプロファイル生成装置に関するものである。
【００１７】
そして、前記印刷物に形成された所定の複数色のそれぞれに対応する分光データ及び保護膜の分光データを記憶する記憶部と、前記印刷物の種類及び前記保護膜の種類を設定する設定部と、前記記憶部に記憶された分光データのうち、前記設定部により設定された前記印刷物の種類に対応する分光データを第１の分光データとして選択するとともに、前記設定部により設定された前記保護膜の種類に対応する分光データを第２の分光データとして選択する選択部と、前記選択部により選択された前記第１及び第２の分光データを用いて各色の測色値を算出する算出部とを有している。
【００１８】
このように構成しているので、保護膜付印刷物の色再現精度を低下させることなく、且つ、プロファイル作成に要する作業工数、具体的には、印刷、保護膜の被覆及び測色の作業工数を大幅に低減できる。
【００１９】
また、前記印刷物の分光データ又は前記保護膜の分光データを取得する取得部を有し、前記記憶部は、前記取得部により取得された前記印刷物の分光データを前記印刷物の種類と対応付けて記憶し、且つ、前記取得部により取得された前記保護膜の分光データを前記保護膜の種類と対応付けて記憶することが好ましい。
【００２０】
このように構成しているので、既に設定された種類の印刷物・保護膜の分光データのみならず、新たな種類の印刷物・保護膜の分光データを追加して記憶可能となり、新たな種類の印刷物・保護膜の組み合わせ毎のプロファイルを容易に作成できる。
【００２１】
さらに、前記設定部は前記保護膜付印刷物の観察光源の種類をさらに設定し、前記記憶部は前記観察光源の分光データをさらに記憶し、前記選択部は前記記憶部により記憶された分光データのうち前記設定部により設定された前記観察光源に対応する分光データを第３の分光データとしてさらに選択し、前記算出部は、前記選択部により選択された前記第３の分光データをさらに用いて各色の測色値を算出することが好ましい。
【００２２】
このように構成しているので、種々の観察環境に応じた適切なプロファイルが作成できる。
【００２３】
さらに、前記観察光源の分光データ及び標準条件下における基準分光データに基づいて前記記憶部により記憶された前記保護膜の分光データを評価し、その評価の結果を取得する評価部と、前記評価部により取得された前記結果を表示する表示部とを有することが好ましい。
【００２４】
このように構成しているので、観察光源及び保護膜の光学的相性、すなわち、保護膜有無の色の差異を事前に作業者に通知することが可能であり、色再現精度の観点で選択すべき保護膜の選定の一助とすることができる。
【００２５】
また、本発明は、前記印刷物に形成された所定の複数色のそれぞれに対応する分光データ及び観察光源の分光データを記憶する記憶部と、前記印刷物の種類及び前記観察光源の種類を設定する設定部と、前記記憶部に記憶された分光データのうち、前記設定部により設定された前記印刷物の種類に対応する分光データを第１の分光データとして選択するとともに、前記設定部により設定された前記観察光源の種類に対応する分光データを第３の分光データとして選択する選択部と、前記選択部により選択された前記第１及び第３の分光データを用いて各色の測色値を算出する算出部とを有している。
【００２６】
さらに、前記観察光源の分光データを取得する分光データ取得部を有し、前記記憶部は、前記分光データ取得部により取得された前記観察光源の分光データを前記観察光源の種類と対応付けて記憶することが好ましい。
【００２７】
このように構成しているので、既に設定された種類の観察光源の分光データのみならず、新たな種類の観察光源の分光データを追加して記憶可能であり、新たな種類の観察光源の組み合わせ毎のプロファイルを容易に作成できる。
【００２８】
さらに、前記分光データ取得部は、カメラと、白色基準板と、異なる周波数帯域通過特性を有する複数の光学フィルタを二次元に配置して形成された複合光学フィルタと、前記白色基準板と前記カメラとの間に前記複合光学フィルタが設けられた配置関係下に前記カメラにより撮影されて得られた画像信号に基づき前記観察光源の分光データを推定する推定部とを備えることが好ましい。
【００２９】
このように構成しているので、高価な非接触分光測色計を用いずとも安価なシステムで、かつ一度の撮像作業により観察光源の分光データを取得できる。
【００３０】
さらに、前記設定部は前記観察光源を模擬するための色補正用光学フィルタの種類をさらに設定し、前記記憶部は前記色補正用光学フィルタの分光データをさらに記憶し、前記選択部は前記記憶部により記憶された分光データのうち前記設定部により設定された前記色補正用光学フィルタの種類に対応する分光データを第４の分光データとしてさらに選択し、前記演算部は、前記選択部により選択された前記第４の分光データをさらに用いて各色の測色値を算出することが好ましい。
【００３１】
このように構成しているので、既に設定された観察光源のみならず、その観察光源を模擬するための色補正用光学フィルタの分光データを組み合わせることで、種々の観察環境に応じた適切なプロファイルが生成できる。また、観察光源の補正だけでなく、色補正用光学フィルタを使用することにより、観察者の好みによる印刷物の色調整が可能であり、且つ、その印刷物の色を容易に再現することができる。
【００３２】
さらに、前記印刷物の種類には透過画像又は反射画像であることの属性が含まれ、前記算出部は前記属性に応じて前記各色の測色値を算出する方法を変えることが好ましい。
【００３３】
このように構成しているので、様々な印刷物に適した測色値を算出可能であり、色再現精度の高いプロファイルを生成することができる。
【００３４】
また、本発明に係るプロファイル生成方法は、カラー画像が形成された印刷物に保護膜を被覆させて得られた保護膜付印刷物の光学的特性に応じてカラーマッチング用のプロファイルを生成するものであって、前記印刷物の種類及び前記保護膜の種類を設定する設定ステップと、予め記憶された、前記印刷物に形成された所定の複数色のそれぞれに対応する分光データ及び前記保護膜の分光データのうち、前記設定ステップで設定された前記印刷物の種類に対応する分光データを第１の分光データとして選択するとともに、前記設定ステップで設定された前記保護膜の種類に対応する分光データを第２の分光データとして選択する選択ステップと、前記選択ステップで選択された前記第１及び第２の分光データを用いて各色の測色値を算出する算出ステップとを有する。
【００３５】
さらに、本発明に係るプロファイル生成プログラムは、カラーマッチング用のプロファイルを生成するためにコンピュータを、印刷物の種類及び保護膜の種類を設定する手段、記憶された分光データのうち、設定された前記印刷物の種類に対応する分光データを第１の分光データとして選択するとともに、設定された前記保護膜の種類に対応する分光データを第２の分光データとして選択する手段、選択された前記第１及び第２の分光データを用いて各色の測色値を算出する手段として機能させる。
【００３６】
さらに、本発明に係る印刷システムは、印刷媒体上にカラー画像を印刷して印刷物を形成する印刷機と、前記印刷機により形成された前記印刷物に保護膜を被覆して保護膜付印刷物を形成する表面処理装置と、前記表面処理装置により形成された前記保護膜付印刷物の光学的特性に応じてカラーマッチング用のプロファイルを生成するプロファイル生成部とを備え、前記印刷物の種類及び前記保護膜の種類を設定する設定部と、前記印刷物に形成された所定の複数色のそれぞれに対応する分光データ及び前記保護膜の分光データを記憶する記憶部と、前記記憶部により記憶された分光データのうち、前記設定部により設定された前記印刷物の種類に対応する分光データを第１の分光データとして選択するとともに、前記設定部により設定された前記保護膜の種類に対応する分光データを第２の分光データとして選択する選択部と、前記選択部により選択された前記第１及び第２の分光データを用いて各色の測色値を算出する算出部とを有する。
【発明の効果】
【００３７】
本発明に係るプロファイル生成装置及びその方法及びプログラム並びに印刷システムによれば、印刷物に形成された所定の複数色のそれぞれに対応する分光データ及び保護膜の分光データを記憶し、前記印刷物の種類及び前記保護膜の種類を設定し、記憶された分光データのうち、設定された前記印刷物の種類に対応する分光データを第１の分光データとして選択し、設定された前記保護膜の種類に対応する分光データを第２の分光データとして選択し、選択された前記第１及び第２の分光データを用いて各色の測色値を算出するように構成したので、保護膜付印刷物の色再現精度を低下させることなく、且つ、プロファイル作成に要する作業工数、具体的には、カラーチャートの印刷、保護膜の被覆及び測色の作業工数を大幅に低減できる。
【図面の簡単な説明】
【００３８】
【図１】第１の実施形態に係るプロファイル生成装置が組み込まれた印刷システムの斜視説明図である。
【図２】第１の実施形態に係るカラーチャートの概略正面図である。
【図３】第１の実施形態に係るプロファイル生成装置の機能ブロック図である。
【図４】第１の実施形態に係る印刷プロファイル生成部の機能ブロック図である。
【図５】図５Ａ〜図５Ｄは、第１の実施形態に係るプロファイル生成条件の設定画面の一例を示す図である。
【図６】第１の実施形態に係る印刷システムを用いて適切な保護膜付印刷物を得るためのフローチャートである。
【図７】第１の実施形態に係るプロファイルの生成方法に関するフローチャートである。
【図８】第２の実施形態に係るプロファイル生成装置が組み込まれた印刷システムの斜視説明図である。
【図９】第２の実施形態に係るプロファイル生成装置の機能ブロック図である。
【図１０】第２の実施形態に係る印刷プロファイル生成部の機能ブロック図である。
【図１１】図１１Ａ及び図１１Ｂは、第２の実施形態に係るプロファイル生成条件の設定画面の一例を示す図である。
【図１２】保護膜付印刷物の掲示場所における光源の分光データを取得する方法に関するフローチャートである。
【図１３】観察下の光源の分光データを測定する概略斜視図である。
【図１４】色補正フィルタを用いて、観察下の光源と標準光源との画像の色の見え方の差異を定量化する方法を表す概略斜視図である。
【図１５】第２の実施形態に係るプロファイルの生成方法に関するフローチャートである。
【発明を実施するための形態】
【００３９】
以下、本発明の第１の実施形態に係るプロファイル生成方法についてそれを実施するプロファイル生成装置並びに印刷システムとの関係において好適な実施形態を挙げ、添付の図面（図１〜図７）を参照しながら詳細に説明する。
【００４０】
図１は、第１の実施形態に係るプロファイル生成装置としての画像処理装置１６が組み込まれた印刷システム１０の斜視説明図である。
【００４１】
印刷システム１０は、ＬＡＮ１２と、編集装置１４と、プロファイル生成装置としての画像処理装置１６と、印刷機１８と、表面処理装置としてのラミネート処理装置２０と、取得部としての測色計２２とを基本的に備える。
【００４２】
ＬＡＮ１２は、イーサネット（登録商標）等の通信規格に基づいて構築されているネットワークである。編集装置１４と、画像処理装置１６と、データベースＤＢとは、前記ＬＡＮ１２を介して有線又は無線により相互に接続されている。
【００４３】
編集装置１４は、文字、図形、絵柄や写真等から構成されるカラー画像の配置をページ毎に編集が自在であり、ページ記述言語（以下、ＰＤＬという。）による電子原稿、例えば、４色（ＣＭＹＫ）や３色（ＲＧＢ）のカラーチャンネルからなる８ビット画像データを生成する。
【００４４】
ここで、ＰＤＬとは、印刷や表示等の出力単位である「ページ」内で文字、図形等の書式情報、位置情報、色情報（濃度情報を含む）等の画像情報を記述する言語である。例えば、ＰＤＦ（Ｐｏｒｔａｂｌｅ  Ｄｏｃｕｍｅｎｔ  Ｆｏｒｍａｔの略で、ＩＳＯ３２０００−１：２００８に規定）、ＡｄｏｂｅＳｙｓｔｅｍｓ社のＰｏｓｔＳｃｒｉｐｔ（登録商標）やＸＰＳ（ＸＭＬ  Ｐａｐｅｒ  Ｓｐｅｃｉｆｉｃａｔｉｏｎ）等が知られている。
【００４５】
また、編集装置１４には図示しないカラースキャナが接続されており、該カラースキャナは、所定の位置にセットされたカラー原稿を光学的に読み取ることでき、前記電子原稿の構成要素となるカラー画像データを取得可能である。
【００４６】
画像処理装置１６は、ＰＤＬによる電子原稿をビットマップ形式（ラスタ画像の一種）に展開し、所望の画像処理、例えば、色変換処理、画像拡縮処理や配置処理等を行い、印刷機１８の印刷方式に適した印刷信号に変換し、前記印刷機１８に前記印刷信号を送信する各機能を有している。
【００４７】
また、画像処理装置１６は、ＣＰＵ・メモリ等を有する本体２４と、カラー画像を表示する表示装置２６と、入力部としての入力装置２８（キーボード３０及びマウス３２）を備えている。さらに、画像処理装置１６には、電子データの記録・消去が自在な可搬型メモリ３４や測色計２２が接続されている。
【００４８】
印刷機１８は、Ｃ、Ｍ、Ｙ、Ｋの各色（プロセスカラー）からなる標準インクと、ＬＣ、ＬＭ等の淡色やＷ（白色）等のオプションインクとを組み合わせてカラー画像を形成するインクジェット方式の印刷装置である。この印刷機１８は、外部（例えば、画像処理装置１６）から受信した印刷信号に基づいて各色のインクの射出制御を行うことにより、印刷媒体としてのメディア３６（図１では、ロール状の未印刷のメディア３６）上にカラー画像を印刷し、印刷物３８（印刷物３８の一種であるカラーチャート３８ｃが含まれる。）を形成する。
【００４９】
ラミネート処理装置２０は、印刷物３８の画像形成面上に、必要に応じて更にその裏面に、保護膜としてのラミネートフイルム４０を貼付させた状態で、図示しない加熱ローラを用いて加熱・加圧処理を施すことにより、印刷物３８の画像形成面が保護された保護膜付印刷物４２を形成する。
【００５０】
メディア３６の基材には、合成紙・厚紙・アルミ蒸着紙等の紙類、塩化ビニル・ＰＥＴ等の樹脂やターポリン等を用いることができる。保護膜には、ラミネートフイルム４０に限られず、液体、ニス、透明インク、クリアトナー、並びにアクリル板等の保護板等を用いることができる。
【００５１】
測色計２２は、測定対象物の測色値を測定する。ここで測色値とは、三刺激値ＸＹＺ、均等色空間の座標値Ｌ*ａ*ｂ*等のみならず、波長に対する光学物理量の分布（以下、「分光データ」という。）、例えば、分光放射分布、分光感度分布、分光反射率又は分光透過率が含まれる。
【００５２】
ラミネート処理装置２０から得られた保護膜付印刷物４２は、観察光源としての光源Ｓの下で、所定の場所に掲示される。
【００５３】
図２は、第１の実施形態に係るカラーチャート３８ｃの概略正面図である。
【００５４】
カラーチャート３８ｃは、メディア３６上に印刷された、色の異なる１００個の略同形状のカラーパッチ４４と、該カラーパッチ４４の行方向及び列方向の配列位置を特定する数字列４６及びアルファベット文字列４８と、前記カラーチャート３８ｃの印刷条件を識別する情報からなる印刷情報５０とから構成される。
【００５５】
各カラーパッチ４４は、縦方向には１０個のカラーパッチ４４が隙間なく配置され、横方向には１０個のカラーパッチ４４が所定間隔の隙間を設けながら配置されている。各カラーパッチ４４の色は、ＣＭＹＫ値の各信号レベルの範囲（百分率では０％〜１００％、８ビット階調である場合は０〜２５５）の所定の値が設定されている。
【００５６】
数字列４６は、上から順に（０１）〜（１０）の文字列として、各カラーパッチ４４の左方部にその位置に対応するように設けられている。一方、アルファベット文字列４８は、左から順番に（Ａ）〜（Ｊ）の文字列として、各カラーパッチ４４の上方部にその位置に対応するように設けられている。
【００５７】
印刷情報５０には、印刷機１８の機種、シリアル番号若しくは登録名、後述する印刷モード、メディア３６の種類、印刷日時等が印刷されている。
【００５８】
図３は、第１の実施形態に係る画像処理装置１６の機能ブロック図である。なお、電子原稿は白抜実線矢印の方向に、カラーチャート３８ｃ用の画像データは白抜破線矢印の方向に、その他の各種データは実線矢印の方向にそれぞれ供給されることを表す。
【００５９】
画像処理装置１６の本体２４は、編集装置１４側から供給される電子原稿を入力するＩ／Ｆ５２と、該Ｉ／Ｆ５２を介して供給された電子原稿のＰＤＬ形式をビットマップ形式に展開するＲＩＰ５４（ラスタイメージングプロセッサ）と、該ＲＩＰ５４により展開された電子原稿のＣＭＹＫ値（あるいはＲＧＢ値）に対して所定の色変換処理を施して新たなＣＭＹＫ値の画像データを得る色変換処理部５６と、該色変換処理部５６により色変換されて得られた新たなＣＭＹＫ値の画像データを印刷機１８に適した印刷信号（インク射出制御データ）に変換する印刷機ドライバ５８と、該印刷機ドライバ５８により変換された印刷信号を印刷機１８側に出力するＩ／Ｆ６０とを備える。
【００６０】
また、本体２４は、印刷機１８毎にプロファイルを管理する色管理部６２と、カラーチャート３８ｃを印刷するための画像データを生成する画像データ生成部６４と、光源Ｓ及びラミネートフイルム４０の分光データに基づいてこれらの種類の組み合わせの良し悪しを定量的に評価する組み合わせ評価部６６と、表示装置２６との接続を可能とするＩ／Ｆ６８と、入力装置２８（マウス３０及びキーボード３２）との接続を可能とするＩ／Ｆ７０と、測色計２２との接続を可能とするＩ／Ｆ７２と、可搬型メモリ３４との接続を可能とするＩ／Ｆ７４とを備える。
【００６１】
さらに、本体２４は、その内部の各構成要素から供給される各種データを記憶し、あるいは記憶している各種データを各構成要素に供給する記憶部７６を備えている。該記憶部７６は、ＲＩＰ５４と、色変換処理部５６と、色管理部６２と、画像データ生成部６４と、組み合わせ評価部６６と、Ｉ／Ｆ６８と、Ｉ／Ｆ７０と、Ｉ／Ｆ７２と、Ｉ／Ｆ７４とにそれぞれ接続されている。
【００６２】
なお、色変換処理部５６は、デバイス依存データからデバイス非依存データに変換する目標プロファイル処理部７８と、デバイス非依存データからデバイス依存データに変換する印刷プロファイル処理部８０とを備える。ここで、デバイス依存データとは、各種デバイスを適切に駆動するためのＣＭＹＫ値、ＲＧＢ値等で定義されるデータである。また、デバイス非依存データとは、ＨＳＶ（Ｈｕｅ−Ｓａｔｕｒａｔｉｏｎ−Ｖａｌｕｅ）、ＨＬＳ（Ｈｕｅ−Ｌｉｇｈｔｎｅｓｓ−Ｓａｔｕｒａｔｉｏｎ）、ＣＩＥＬＡＢ、ＣＩＥＬＵＶ、ＸＹＺ等の表色系で定義されるデータである。
【００６３】
なお、色管理部６２は、印刷機１８毎に目標プロファイルを生成する目標プロファイル生成部８２と、印刷機１８毎に印刷プロファイルを生成する印刷プロファイル生成部８４とを備える。
【００６４】
また、ＲＩＰ５４は、電子原稿のビットマップ形式化の際に、印刷機１８の解像度等に対応した画像拡縮処理や、印刷フォーマットに対応した回転・反転処理等の種々の画像処理を行うことができる。
【００６５】
さらに、印刷機ドライバ５８は、ＣＭＹＫ値からインク各色（ＣＭＹＫ、ＬＣ、ＬＭ、又はＷ）に対応するインク射出制御用データを作成する。このインク射出制御用データは、印刷機１８のインク射出動作（ＯＮ・ＯＦＦやインクドット径の大小等）との間でその印刷機１８固有のデータ定義に従って関連付けられている。その際、８ビット多階調画像から２値画像等の低階調画像への変換を要するが、ディザマトリクス法や誤差拡散法等の公知のアルゴリズムを用いることができる。
【００６６】
さらに、目標プロファイル処理部７８又は印刷プロファイル処理部８０は、印刷機１８の印刷モードに応じてプロファイルを補正することができる。ここで、印刷モードとは、印刷ヘッドのノズル数、印刷ヘッドの走査時におけるインク射出タイミング（片方向／双方向）、パス数、搭載インク色数及びその種類、インク射出制御用データ作成のアルゴリズム等の、印刷に関する各種設定をいう。
【００６７】
さらに、ＣＰＵ等で構成される制御部（不図示）は、この画像処理に関するすべての制御を行う。すなわち、本体２４内部の各構成要素の制御（例えば、記憶部７６のデータ読出し・書込み）のみならず、Ｉ／Ｆ６８を介して表示装置２６に表示信号を送信する制御や、Ｉ／Ｆ７２を介して測色計２２から測色データを取得する制御等も含まれる。
【００６８】
第１の実施形態に係る画像処理装置１６は以上のように構成され、上述した各画像処理機能は、基本プログラム（オペレーティングシステム）上で動作する応用プログラムを用いて実現することができる。
【００６９】
図４は、第１の実施形態に係る印刷プロファイル生成部８４の機能ブロック図である。
【００７０】
印刷プロファイル生成部８４は、データ選択部８６（選択部）と、測色値算出部８８（算出部）と、ＬＵＴ生成部９０とから基本的に構成される。
【００７１】
データ選択部８６は、記憶部７６から読み出された、設定データ１００と、メディアの分光データ群１０２と、ラミネートフイルムの分光データ群１０４と、観察光源の分光データ群１０６とに基づいて、プロファイル生成条件におけるメディアの分光データ（以下、第１の分光データ１１２という。）、ラミネートフイルムの分光データ（以下、第２の分光データ１１４という。）、及び観察光源の分光データ（以下、第３の分光データ１１６という。）を選択する。ここで、設定データ１００は、作業者により設定されるメディア３６、ラミネートフイルム４０及び光源Ｓの種類であり、プロファイル生成条件に関する設定データである。
【００７２】
測色値算出部８８は、データ選択部８６により選択された第１、第２及び第３の分光データ１１２、１１４及び１１６と、図示しない等色関数（標準的な観測者の視覚特性を考慮した分光データ）とに基づいて、プロファイル生成条件における測色値データ１２０を算出する。
【００７３】
ＬＵＴ生成部９０は、測色値算出部８８により算出された測色値データ１２０と、各カラーパッチ４４（図２参照）に対応するＣＭＹＫ値データ１２２とに基づいて、プロファイル生成条件におけるＬＵＴ１２４を生成する。
【００７４】
本実施形態では、１００個のカラーパッチ４４（パッチ番号は０〜９９）に対するそれぞれの分光データが設けられており、光波長はλ1〜λ9である９点のデータを有している。例えば、λ1＝４００ｎｍ、……、λ9＝８００ｎｍの５０ｎｍ間隔とすることができる。
【００７５】
図５Ａ〜図５Ｄは、第１の実施形態に係るプロファイル生成条件の設定画面の一例を示す図である。
【００７６】
図５Ａに示す設定画面１３０には、上から順番に、３個のプルダウンメニュー１３２、１３４、１３６と、テキストボックス１３８と、［生成］、［中止］と表示されたボタン１４０、１４２とを備える。
【００７７】
プルダウンメニュー１３２の左方部には、「メディア」なる文字列が表示されている。マウス３２の所定の操作により、図５Ｂに示すように、プルダウンメニュー１３２の下方部に選択欄１４４が併せて表示され、その右側にスクロールバー１４６が設けられている。
【００７８】
プルダウンメニュー１３４の左方部には、「ラミネート」なる文字列が表示されている。マウス３２の所定の操作により、図５Ｃに示すように、プルダウンメニュー１３４の下方部に選択欄１４８が併せて表示され、その右側にスクロールバー１５０が設けられている。
【００７９】
プルダウンメニュー１３６の左方部には、「光源」なる文字列が表示されている。マウス３２の所定の操作により、図５Ｄに示すように、プルダウンメニュー１３６の下方部に選択欄１５２が併せて表示され、その右側にスクロールバー１５４が設けられている。
【００８０】
図５Ａに示すテキストボックス１３８の左方部には、「プロファイル名」なる文字列が表示されている。キーボード３０の所定の操作により、文字情報の入力が自在である。
【００８１】
この第１の実施形態に係る印刷システム１０は、基本的には以上のように構成されるものであり、次にその動作について説明する。
【００８２】
図６は、第１の実施形態に係る印刷システム１０を用いて適切な保護膜付印刷物４２を得るためのフローチャートである。主に図１を参照しながら説明する。
【００８３】
先ず、作業者は、形成しようとする保護膜付印刷物４２に関する印刷条件やその観察態様を調査する（ステップＳ１）。ここで、印刷条件とは、印刷に使用する印刷機１８の種類、メディア３６の種類、ラミネートフイルム４０の種類や前述した印刷モード等である。また、観察態様とは、光源Ｓの分光データや保護膜付印刷物４２の掲示態様（反射、透過、又はその混合）等である。
【００８４】
次いで、作業者は、印刷機１８に適切なプロファイルを選定する（ステップＳ２）。通常、目標プロファイル又は印刷プロファイルは、本体２４の記憶部７６に保存されている（図３参照）。印刷機１８に適切なプロファイルが登録（記憶部７６に記憶）されていない場合は、印刷プロファイルを別途生成することができる。
【００８５】
次いで、印刷機１８を用いて電子原稿を印刷して印刷物３８を得た後（ステップＳ３）、この印刷物３８にラミネート処理を施す（ステップＳ４）。
【００８６】
具体的には、印刷物３８の画像形成面上に（必要に応じて更にその裏面に）ラミネートフイルム４０を貼付させた状態で、ラミネート処理装置２０が備える図示しない加熱ローラを用いて加熱・加圧処理を施すことにより保護膜付印刷物４２を得る。これにより、画像の擦過性・堅牢性を向上させることができる。
【００８７】
次いで、保護膜付印刷物４２のカラー画像の色を評価し（ステップＳ５）、画像の色が適切か否かを判断する（ステップＳ６）。所望の色合いが得られたか否かについての評価方法としては、画像の全体的外観又は部分的外観に着目し、作業者等の目視により良否を判断する方法、あるいは、測色計２２を用いて保護膜付印刷物４２の所定の箇所を測色し、その値が所望の範囲内に収まるか否かで判断する方法等が使用される。
【００８８】
この画像評価の結果、保護膜付印刷物４２の画像の色が適切でないと判断された場合は、プロファイルの変更等を行うことにより色の微調整を行う（ステップＳ７）。この具体的方法としては、プロファイルの再設定・再生成や、プロファイルの微調整（現在設定されているプロファイルの補正）等が挙げられる。
【００８９】
以下、印刷と評価を繰り返すことにより（ステップＳ３〜Ｓ７）、所望の色の保護膜付印刷物４２が得られる。
【００９０】
ここで、電子原稿の印刷（ステップＳ３）の際の、画像処理装置１６による画像処理の流れについて、図３を参照しながら詳細に説明する。
【００９１】
編集装置１４から供給された電子原稿（ＰＤＬ形式）が、ＬＡＮ１２及びＩ／Ｆ５２を介して画像処理装置１６に入力されると、前記電子原稿は、ＲＩＰ５４によりそれぞれ８ビットのＣＭＹＫビットマップ形式（デバイス依存の画像データ）に展開され、目標プロファイル処理部７８によりＬ*ａ*ｂ*（デバイス非依存の画像データ）に変換され、印刷プロファイル処理部８０によりＣＭＹＫ値（デバイス依存の画像データ）に変換され、印刷機ドライバ５８により印刷信号（すなわち、インク射出制御データ）に変換され、Ｉ／Ｆ６０を介して印刷機１８に供給される。その後、印刷機１８により所望の印刷物３８が印刷される。
【００９２】
このとき、複数の設定条件に対応する目標プロファイル及び印刷プロファイルが予め記憶部７６に記憶されているので、予め設定された各種条件に応じて選択的に目標プロファイル及び印刷プロファイルが目標プロファイル処理部７８及び印刷プロファイル処理部８０に供給される。ここで、各プロファイルに対して印刷機１８の印字モード等を加味した補正を適宜行うように構成すれば、さらに適切な色変換処理を行うことができる。
【００９３】
以上、第１の実施形態に係る印刷システム１０を用いて適切な保護膜付印刷物４２を得るためのフローチャートを説明した。次いで、プロファイルの生成方法（ステップＳ２）について、図７に示すフローチャートを参照しながら詳細に説明する。
【００９４】
先ず、作業者は、印刷に用いられるメディア３６の種類が登録されているか否かを確認する（ステップＳ２１）。
【００９５】
もし、登録されていなければ、そのメディア３６の分光データを取得する（ステップＳ２２）。一例として、作業者は、分光データが格納された可搬型メモリ３４を準備し、画像処理装置１６の本体２４に接続する。そうすると、自動又は手動により分光データが新たに記憶部７６に記憶される。また、データベースＤＢ（図１参照）に分光データを管理させておき、必要に応じて該データベースＤＢから所望の分光データを取得できる構成であってもよい。
【００９６】
また、本体２４に接続された測色計２２を用いて、メディア３６の分光データを直接取得することができる。この方法について、主に図３を参照しながら説明する。
【００９７】
作業者は、表示装置２６に表示された図示しない設定画面上からカラーチャート３８ｃの印刷の要求を行う。すると、本体２４の画像データ生成部６４によりカラーチャート３８ｃを印刷するための画像データ（ＣＭＹＫ値）が生成され、印刷機ドライバ５８に供給され、電子原稿の印刷と同様の動作により印刷機１８側に供給される。このように、カラーチャート３８ｃ（図２参照）が印刷される。
【００９８】
なお、各カラーパッチ４４の画素値に対応するＣＭＹＫ値データ１２２（図４参照）は、予め記憶部７６に記憶されており、画像データの生成の際に前記記憶部７６から読み出される。
【００９９】
作業者は、ラミネート処理装置２０によるラミネート処理を行わずに、画像処理装置１６に接続された測色計２２を用いて、カラーチャート３８ｃ（図２参照）の各カラーパッチ４４の分光データを測定する。例えば、図２のように、数字列４６及びアルファベット文字列４８で示される（Ａ）列の（０１）〜（１０）、（Ｂ）列の（０１）〜（１０）のように、各カラーパッチ４４を測色する順番を予め決定しておくことが好ましい。作業者による測色完了の通知に基づいて、各カラーパッチ４４に対応する分光データが、Ｉ／Ｆ７２を介して、メディア３６の種類を関連付けて記憶部７６に保存される（図３参照）。
【０１００】
この分光データを保存した後、図５Ｂに示すプルダウンメニュー１３２の選択欄１４４から新たなメディア３６の種類として選択できるようになる。本図では、［塩ビＡ］（ここで、「塩ビ」は塩化ビニル（ＰＶＣ）を意味する。）が設定されている。
【０１０１】
なお、図５Ｂに示すプルダウンメニュー１３２はメディア３６の種類のみを選択できる構成を採っているが、印刷物３８の種類として選択できるようにしてもよい。例えば、メディア３６の種類と、印刷機１８の印刷モード又はメディア３６の属性（透過画像／反射画像）とを組み合わせて設定できるようにしてもよい。
【０１０２】
ここで、「透過画像」とは透過光源（バックライト）を主光源として観察される画像をいい、光透過率が比較的高い透過メディア上に印刷されたものである。また、「反射画像」とは反射光源を主光源として観察される画像をいう。
【０１０３】
このようにして、メディア３６の種類が設定される（ステップＳ２３）。
【０１０４】
次いで、図７に戻り、作業者は、印刷物３８に設ける予定のラミネートフイルム４０の種類が登録されているか否かを確認する（ステップＳ２４）。登録されていなければ、そのラミネートフイルム４０の分光データを取得する（ステップＳ２５）。上述のように、分光データが格納された可搬型メモリ３４を用いることができる。
【０１０５】
この分光データを保存した後、図５Ｃに示すプルダウンメニュー１３４の選択欄１４８から新たなラミネートフイルム４０の種類として選択できるようになる。なお、本図では、［マットＢ］（ここで、「マット」（ＭＡＴＴ）は無光沢フイルムを意味する。）が設定されている。
【０１０６】
このようにして、ラミネートフイルム４０の種類が設定される（ステップＳ２６）。
【０１０７】
次いで、図７に戻り、作業者は、観察下の光源Ｓの種類が登録されているか否かを確認する（ステップＳ２７）。登録されていなければ、その光源Ｓの分光データを取得する（ステップＳ２８）。上述のように、分光データが格納された可搬型メモリ３４を用いることができる。
【０１０８】
この分光データを保存した後、図５Ｄに示すプルダウンメニュー１３６の選択欄１５２から新たな光源Ｓの種類として選択できるようになる。なお、本図では、［Ａ］（光源）が設定されている。
【０１０９】
このようにして、観察下の光源Ｓの種類が設定される（ステップＳ２９）。
【０１１０】
ところで、作業者は、ラミネートフイルム４０の種類を選択する際に、組み合わせ評価部６６による観察光源との相性の評価結果を参考にすることができる。組み合わせ評価部６６（図３参照）による具体的評価方法について、印刷物３８（又は保護膜付印刷物４２）が反射画像である場合を例に以下説明する。
【０１１１】
先ず、標準環境下（例えば、印刷システム１０下）での基準分光データを予め設定する。例えば、標準光源（Ｄ５０）の分光放射分布をＥSTD（λi）、ラミネートフイルム４０が存在しない場合の分光透過率をＴSTD（λi）＝１とする。このとき、前記基準分光データは、ＥSTD（λi）×Ｔ2STD（λi）＝ＥSTD（λi）で表される。
【０１１２】
次いで、所定の観察環境下での分光データを試算する。例えば、光源Ｓの分光放射分布をＥ（λi）、印刷物３８に被覆する予定のラミネートフイルム４０の分光透過率をＴ（λi）とする。このとき、観察光源及びラミネートフイルム４０に起因する分光データは、Ｅ（λi）×Ｔ2（λi）と試算される。
【０１１３】
次いで、各波長の分光データの誤差を評価する。試算された分光データと基準分光データとの誤差関数ｆ1（Ｔ）は以下の（１）式で表される。なお、両者をＥSTD（λi）で除算し、標準分光データの値が常に１になるように規格化している。
【数１】
0005457776.tif 000002
【０１１４】
（１）式に示される分光透過率Ｔ（λi）は、既知であるラミネートフイルムの分光データ群１０４の中から選択される。ｆ1（Ｔ）を小さくさせるＴ（λi）を有するラミネートフイルム４０は光源Ｓとの光学的相性が良いものと推定され、ｆ1（Ｔ）を大きくさせるＴ（λi）を有するラミネートフイルム４０は光源Ｓとの光学的相性が悪いものと推定される。
【０１１５】
なぜならば、プロファイル（特にＬＵＴ１２４）を生成するアルゴリズムは、標準環境下で適切な色再現ができるように通常設計されているので、基準分光データとの相似性が高い分光データを用いて生成されたプロファイルほど色再現性が高いからである。
【０１１６】
なお、試算された分光データと基準分光データとの相似性を評価する方法は、相関係数を算出する方法でもよい。
【０１１７】
このようにして、既知であるラミネートフイルムの分光データ群１０４（図４参照）の中から第２の分光データ（分光透過率Ｔ（λi））を選択することができる。
【０１１８】
最後に、図７に戻り、ステップＳ２３で設定されたメディア３６の種類と、ステップＳ２６で設定されたラミネートフイルム４０の種類と、ステップＳ２９で設定された光源Ｓの種類とからなる各々のプロファイル生成条件を保存する（ステップＳ３０）。
【０１１９】
作業者は、図５Ａにおいて、生成・登録しようとするプロファイル名をテキストボックス１３８に入力した後、［生成］ボタン１４０を押下することにより、各種設定（設定データ１００）が自動的に記憶部７６に格納される。
【０１２０】
その後、図４に示すように、記憶部７６から供給された設定データ１００、メディアの分光データ群１０２、ラミネートフイルムの分光データ群１０４及び観察光源の分光データ群１０６の中から、設定データ１００と対応付けられた第１、第２及び第３の分光データ１１２、１１４、及び１１６がデータ選択部８６により選択される。測色値算出部８８により、第１、第２及び第３の分光データ１１２、１１４、及び１１６に基づきプロファイル生成条件における測色値データ１２０が算出される。
【０１２１】
ここで、プロファイル生成条件における測色値データ１２０は、実測データに基づいて推定された、光源Ｓの下で保護膜付印刷物４２を観察する場合におけるＬ*ａ*ｂ*である。
【０１２２】
具体的には、各カラーパッチ４４の三刺激値ＸＹＺは、光源Ｓの分光放射分布と、ラミネートフイルム４０の分光透過率の２乗値と、印刷物３８の分光反射率と、等色関数とを乗算し、可視光波長の範囲内で積分した値に相当する。この三刺激値ＸＹＺと所定の関数式に基づいて、測色値データ１２０としての各カラーパッチ４４のＬ*ａ*ｂ*が算出される。
【０１２３】
なお、グロス系の（表面の光沢度が高い）ラミネートフイルム４０の場合は、上述の方法（分光透過率の２乗値の乗算）を用いることにより、Ｌ*ａ*ｂ*を高精度に算出可能である。しかし、マット系の（表面の光沢度が低い）ラミネートフイルム４０の場合は、その内部で発生する光散乱の影響が無視できないので、上述の方法では高精度に算出できない場合が多い。
【０１２４】
そこで、マット系のラミネートフイルム４０の場合は、光散乱を考慮した算出方法を用いることが好ましい。例えば、ラミネートフイルム４０の分光データとして、固有反射率、散乱係数、吸収係数等の種々の光学物性値を用いることができる。
【０１２５】
さらに、透過メディアの場合は、光源Ｓの分光放射分布と、ラミネートフイルム４０の分光透過率と、印刷物３８の分光透過率と、等色関数とを乗算し、可視光波長の範囲内で積分することにより、各カラーパッチ４４の三刺激値ＸＹＺが精度良く算出される。
【０１２６】
このように、印刷物３８の種類（例えば、反射画像／透過画像の属性やラミネートフイルム４０の光学的物性）に応じて各カラーパッチ４４の測色値を算出する方法を変えることにより、一層高精度に該測色値を算出できるため好ましい。
【０１２７】
本実施形態では、１００個のカラーパッチ４４をそれぞれ測定したので、１００組のＬ*ａ*ｂ*が得られる。
【０１２８】
そして、ＬＵＴ生成部９０により、１００組の測色値データ１２０（Ｌ*ａ*ｂ*）及び１００組のＣＭＹＫ値データ１２２との対応関係に基づいて印刷プロファイルとしての３次元データ（Ｌ*ａ*ｂ*）を４次元データ（ＣＭＹＫ）に変換するＬＵＴ１２４を生成することができる。
【０１２９】
このように構成しているので、メディア３６、ラミネートフイルム４０及び光源Ｓの単体の分光データを一度取得すれば、保護膜付印刷物４２その物を作製することなく印刷プロファイルを推定できる。これにより、プロファイル生成のための一連の作業の回数を低減することができる。この一連の作業とは、印刷機１８によるカラーチャート３８ｃの印刷（待ち時間を含む。）、ラミネート処理装置２０によるラミネート処理、測色計２２による測色である。
【０１３０】
例えば、メディア３６の種類がＮ1通り、ラミネートフイルム４０の種類がＮ2通り、光源Ｓの種類がＮ3通りの組み合わせが存在する場合、従来のプロファイル生成方法では（Ｎ1×Ｎ2）回の印刷及びラミネート処理と（Ｎ1×Ｎ2×Ｎ3）回の測色を要するのに対し、本発明に係るプロファイル生成方法ではラミネート処理が一切不要であり、且つ、Ｎ1回の印刷及び測色で済む。特に、Ｎ1、Ｎ2及びＮ3の組み合わせの総数が多いほど、より顕著な効果が得られる。
【０１３１】
なお、各プロファイル生成条件に対応する印刷プロファイルを予め記憶部７６（図３参照）に記憶しておき、電子原稿の印刷要求の際に、設定条件に応じて選択的に印刷プロファイルを読み出す構成を採っている。そうすれば、一度生成した印刷プロファイルを再度生成する必要がなくなるので、画像処理に要する演算時間を短縮できる。
【０１３２】
一方、電子原稿の印刷要求の都度、印刷の設定条件に対応する印刷プロファイルを生成し、該印刷プロファイルを色変換処理部５６に供給する構成を採ってもよい。そうすれば、記憶部７６に記憶するデータ量を低減することができる。
【０１３３】
次いで、本発明の第２の実施形態に係るプロファイル生成方法についてそれを実施するプロファイル生成装置並びに印刷システムとの関係において好適な実施形態を挙げ、添付の図面（図８〜１５）を参照しながら詳細に説明する。
【０１３４】
なお、以下の実施形態において第１の実施形態と同一である構成要素には、同一の参照符号を付して詳細な説明を省略し、以下同様とする。
【０１３５】
図８は、第２の実施形態に係るプロファイル生成装置としての画像処理装置１６が組み込まれた印刷システム１０の斜視説明図である。
【０１３６】
印刷システム１０は、第１の実施形態に係る印刷システム１０と同一の構成要素を有するほか、白色基準板２００と、複合フィルタ２０２（複合光学フィルタ）と、デジタルカメラ２０４（カメラ）と、非接触測色計２０６（分光データ取得部）と、複数の色補正フィルタ２０８（色補正用光学フィルタ）とをさらに備えている。
【０１３７】
図９は、第２の実施形態に係る画像処理装置１６の機能ブロック図である。
【０１３８】
画像処理装置１６の本体２４は、第１の実施形態に係る本体２４と同一の構成要素を有するほか、複合フィルタ２０２の撮影データ（詳細は後述する。）に基づいて光源Ｓの分光データを推定する分光データ推定部２１０と、Ｉ／Ｆ２１２とをさらに備える。Ｉ／Ｆ２１２には、複合フィルタ２０２の撮影データを取得するデジタルカメラ２０４や、光源Ｓの分光データを取得する非接触測色計２０６の接続が自在である。
【０１３９】
図１０は、第２の実施形態に係る印刷プロファイル生成部８４の機能ブロック図である。
【０１４０】
データ選択部８６は、記憶部７６から読み出された、設定データ１００と、メディアの分光データ群１０２と、ラミネートフイルムの分光データ群１０４と、観察光源の分光データ群１０６と、色補正フィルタの分光データ群１０８とに基づいて、プロファイル設定条件における第１、第２、第３の分光データ１１２、１１４、１１６及び色補正フィルタの分光データ（以下、第４の分光データ１１８ａ、１１８ｂという。第２の実施形態では最大２つの分光データを選択可。）を選択する。ここで、設定データ１００とは、作業者により設定されるメディア３６の種類、ラミネートフイルム４０の種類、観察下の光源Ｓの種類、及び色補正フィルタ２０８の種類であり、プロファイル生成条件に関する設定データである。
【０１４１】
測色値算出部８８は、データ選択部８６により選択された第１、第２、第３及び第４の分光データ１１２、１１４、１１６、１１８ａ及び１１８ｂと、図示しない前述した等色関数とに基づいて、プロファイル生成条件における測色値データ１２０を算出する。
【０１４２】
図１１Ａ及び図１１Ｂは、第２の実施形態に係るプロファイル生成条件の設定画面の一例を示す図である。
【０１４３】
図１１Ａに示す設定画面１３０には、上から順番に、４個のプルダウンメニュー１３２、２２０、２２２、１３４と、［詳細］と表示されたボタン２２４と、テキストボックス１３８と、［生成］、［中止］と表示されたボタン１４０、１４２とを備える。
【０１４４】
プルダウンメニュー２２０（２２２）の左方部には、「フィルタ１（２）」なる文字列が表示されている。マウス３２の所定の操作により、プルダウンメニュー２２０（２２２）の下方部に図示しない選択欄が併せて表示される。
【０１４５】
図１１Ｂに示す設定画面２３０には、上から順番に、現在の設定（メディア、フィルタ１及びフィルタ２）を表示する表示欄２３２と、ラミネートフイルム４０の種類とその相性を表示する表示欄２３４と、［設定］、［戻る］と表示されたボタン２３６、２３８とを備える。また、表示欄２３４の一部には［○］、［△］又は［×］からなる評価結果２４０が表示されている。なお、［○］、［△］及び［×］はそれぞれ「良い」、「普通」及び「悪い」をそれぞれ意味する。
【０１４６】
この第２の実施形態に係る印刷システム１０は、基本的には以上のように構成されるものであり、次にその動作について説明する。
【０１４７】
第２の実施形態に係るプロファイル生成方法を実施するためのフローチャートは、第１の実施形態と基本的には同様である。ただし、図６に示すステップＳ１の一部である「観察態様の調査」と、ステップＳ２の「プロファイルの選定」に関する構成が若干異なる。
【０１４８】
このステップＳ１Ａ及びＳ２Ａのフローチャートについて、図１２〜図１５を参照しながら詳細に説明する。
【０１４９】
図１２は、光源Ｓの分光データを取得する方法（図６に示すステップＳ１の一部である「観察態様の調査」）に関するフローチャートである。
【０１５０】
先ず、作業者は、標準光源、例えば、Ｄ５０光源での観察下を想定したテスト印刷物３８ｔ（図８参照）を作製する（ステップＳ１１Ａ）。このテスト印刷物３８ｔの作製には、標準光源で観察するために適切なプロファイルを用いる。なお、テスト印刷物３８ｔの画像形成面上には、ラミネート処理装置２０によるラミネート処理を施さないようにする。
【０１５１】
その後、作業者は、保護膜付印刷物４２の掲示場所に行って以下の作業を行う（ステップＳ１２Ａ〜Ｓ１６Ａ）。
【０１５２】
次いで、作業者は、測色計の有無を確認する（ステップＳ１２Ａ）。測色計を所持している場合は、その機種を確認する（ステップＳ１３Ａ）。
【０１５３】
測色計の機種が非接触測色計２０６である場合は、非接触測色計２０６を白色基準板２００に指向して測定を行うことにより、光源Ｓの分光データを直接的に取得する（ステップＳ１４Ａ）。その後、非接触測色計２０６を本体２４のＩ／Ｆ２１２に接続することで、光源Ｓの分光データを記憶部７６に記憶できる。
【０１５４】
測色計の機種がデジタルカメラ２０４である場合は、非接触測色計２０６のように、光源Ｓの分光データを直接的に取得することができない。そこで、複合フィルタ２０２の撮影データを取得・解析することにより、光源Ｓの分光データを推定できる（ステップＳ１５Ａ）。
【０１５５】
図１３は、観察下の光源Ｓの分光データを測定する概略斜視図である。
【０１５６】
光源Ｓの環境下において、白色基準板２００及び複合フィルタ２０２がデジタルカメラ２０４の光軸上に配置されている。
【０１５７】
複合フィルタ２０２は、通過周波数帯域のそれぞれ異なる１２種類の光学フィルタから構成されており、矩形状で略同形の各光学フィルタが二次元上に配置されている。デジタルカメラ２０４は、白色基準板２００及び複合フィルタ２０２を指向しており、ＣＣＤ、ＣＭＯＳ等の図示しない撮像素子は既知の分光データ（受光感度特性）を有している。
【０１５８】
この配置関係下で、複合フィルタ２０２の全体が撮像領域内に収まるようにデジタルカメラ２０４の図示しない撮像光学系の調整を行った後、このデジタルカメラ２０４を用いて複合フィルタ２０２（白色基準板２００）を撮影する。
【０１５９】
その後、デジタルカメラ２０４を本体２４のＩ／Ｆ２１２に接続すると、複合フィルタ２０２の撮影データは、記憶部７６により一旦記憶され、分光データ推定部２１０に供給される（図９参照）。
【０１６０】
複合フィルタ２０２の撮影データは、分光データ推定部２１０により、前記撮影データの領域内から複合フィルタ２０２の配置領域が切り出され、異なる周波数帯域特性を有する各光学フィルタが配置された各領域にさらに分割され、各光学フィルタに対応するＲＧＢ値として取得される。
【０１６１】
このようにして取得した各光学フィルタに対応するＲＧＢ値と、デジタルカメラ２０４の既知の分光データ（受光特性）と、各光学フィルタの既知の分光データ（分光透過率）とに基づいて、最小２乗法等の公知のパラメータ推定方法を用いることで光源Ｓの分光データを推定することができる。
【０１６２】
一方、測色計を所持しない場合、作業者は、テスト印刷物３８ｔを用いて最適な色補正フィルタ２０８を選択する（図１２のステップＳ１６Ａ）。
【０１６３】
図１４は、色補正フィルタ２０８を用いて、観察下の光源Ｓと標準光源（Ｄ５０）との画像の色の見え方の差異を定量化する方法を表す概略斜視図である。
【０１６４】
テスト印刷物３８ｔは、標準光源（Ｄ５０光源）での観察下において適切な階調性を有しているが、光源Ｓにおいて適切でない場合がある。
【０１６５】
そこで、観察者Ｏｂｓは、観察者Ｏｂｓ自身の眼とテスト印刷物３８ｔとの間に設けられる位置関係になるように、色補正フィルタ２０８ａを把持しながら、テスト印刷物３８ｔの画像の色合いを確認する。
【０１６６】
観察者Ｏｂｓが適切でないと判断した場合は、色補正フィルタ２０８ａとは周波数帯域特性が異なる別の色補正フィルタ２０８に交換した後、同様にしてテスト印刷物３８ｔを観察する。
【０１６７】
このように、種々の色補正フィルタ２０８の交換及びテスト印刷物３８ｔの観察からなる作業を繰り返して、テスト印刷物３８ｔが最も適切な色合いとなる色補正フィルタ２０８を選択する。
【０１６８】
なお、選択される色補正フィルタ２０８は１枚に限られず、同一又は異なる特性を有する２枚以上の色補正フィルタ２０８を重畳して用いてもよい。
【０１６９】
このようにすれば、光源Ｓの観察下において色補正フィルタ２０８を介してテスト印刷物３８ｔを観察することにより、標準光源（Ｄ５０光源）を模擬することができる。すなわち、標準光源の分光データに対し、この作業により選択された色補正フィルタ２０８の分光データ（分光透過率）の逆数を乗ずることにより、光源Ｓの分光データを推定できる。
【０１７０】
その後、図１２に示すように、作業者は、保護膜付印刷物４２の印刷場所に戻った後に各種データを画像処理装置１６に入力（ステップＳ１７Ａ）すると、この作業が完了する。
【０１７１】
以上、保護膜付印刷物４２の掲示場所における光源Ｓの分光データを取得する方法に関するフローチャートについて説明した。
【０１７２】
光源Ｓの分光データを取得できる場合（図１２のステップＳ１４Ａ又はＳ１５Ａ）は、その分光データを画像処理装置１６に記憶・登録させることにより、図７に示すフローチャートに沿ってプロファイルを生成することができる。一方、光源Ｓの分光データを取得できない場合（図１２のステップＳ１６Ａ）は別のフローチャートに基づいてプロファイルを生成しなければならない。
【０１７３】
そこで、テスト印刷物３８ｔを用いて最適な色補正フィルタ２０８を選択した場合におけるプロファイルの生成方法（ステップＳ２Ａ）について、図１５に示すフローチャートを参照しながら詳細に説明する。
【０１７４】
先ず、作業者は、印刷に用いられるメディア３６の種類が登録されているか否かを確認する（ステップＳ２１Ａ）。もし、登録されていなければ、そのメディア３６の分光データを取得し（ステップＳ２２Ａ）、図１１Ａに示すプルダウンメニュー１３２から選択し、メディア３６の種類が設定される（ステップＳ２３Ａ）。メディア３６の分光データを取得する方法については前述の通りであるから、詳細な説明は割愛する。
【０１７５】
次いで、図１５に戻り、作業者は、選択された色補正フィルタ２０８の種類が登録されているか否かを確認する（ステップＳ２４Ａ）。もし、登録されていなければ、その色補正フィルタ２０８の分光データを取得する（ステップＳ２５Ａ）。上述のように、分光データが格納された可搬型メモリ３４を用いることができる。
【０１７６】
この分光データを保存した後、図１１Ａに示すプルダウンメニュー２２０、２２２から新たな色補正フィルタ２０８の種類として選択できるようになる。なお、本図では、プルダウンメニュー２２０、２２２に［黄色１．２５］、［なし］がそれぞれ設定されている。ここで、［黄色１．２５］とは、Ｙ濃度を０．０１２５だけ上昇させる色補正フィルタである。また、プルダウンメニュー２２２に［なし］が設定されているので、選択された色補正フィルタは１つ（［黄色１．２５］のみ）であることを示す。
【０１７７】
次いで、作業者は、図１５に戻り、印刷物３８に設ける予定のラミネートフイルム４０の種類が登録されているか否かを確認する（ステップＳ２７Ａ）。もし、登録されていなければ、そのラミネートフイルム４０の分光データを取得し（ステップＳ２８Ａ）、図１１Ａに示すプルダウンメニュー１３４から選択し、ラミネートフイルム４０の種類が設定される（ステップＳ２９Ａ）。
【０１７８】
ところで、作業者は、ラミネートフイルム４０の種類を選択する際に、組み合わせ評価部６６（図９参照）による色補正フィルタ２０８との相性の評価結果を参考にすることができる。作業者が図１１Ａに示す設定画面１３０の［詳細］ボタン２２４を押下すると、図１１Ｂの設定画面２３０に遷移されるとともに、組み合わせ評価部６６により観察光源との相性の評価が行われ、その評価結果が設定画面２３０に即時に表示される。
【０１７９】
組み合わせ評価部６６による具体的評価方法について、印刷物３８（又は保護膜付印刷物４２）が反射画像である場合を例に以下説明する。
【０１８０】
先ず、所定の観察環境下での分光データを推定する。上述の通り、光源Ｓの分光放射分布は、ＥSTD（λi）／ＴFIL（λi）と求められる。なお、ＴFIL（λi）は、既に設定された色補正フィルタ２０８の分光透過率である。
【０１８１】
そうすると、（１）式と同様にして、試算された分光データと基準分光データとの誤差関数ｆ2（Ｔ）は以下の（２）式で表される。
【数２】
0005457776.tif 000003
【０１８２】
（２）式に示される分光透過率Ｔ（λi）は、既知であるラミネートフイルムの分光データ群１０４の中から選択される。ｆ2（Ｔ）の値を小さくさせるＴ（λi）を有するラミネートフイルム４０は色補正フィルタ２０８との光学的相性が良いものと推定され、ｆ2（Ｔ）の値を大きくさせるＴ（λi）を有するラミネートフイルム４０は色補正フィルタ２０８との光学的相性が悪いものと推定される。
【０１８３】
設定画面２３０の表示欄２３２には、現在の設定、すなわち、プロファイル生成条件の設定の一部（メディア３６の種類、色補正フィルタ２０８の種類）が確認的に表示される。また、表示欄２３４には、登録されたラミネートフイルム４０の名称と、その右方に相性の評価結果２４０が表示されている。評価結果２４０は［○］（良い）、［△］（普通）、［×］（悪い）の三段階評価で表現されているので、作業者は、この結果を参考にしながらラミネートフイルム４０の種類を選択できる。
【０１８４】
なお、誤差関数ｆ2（Ｔ）が最小となるラミネートフイルム４０の種類を推奨候補として自動的に設定できるようにしてもよい。
【０１８５】
また、標準光源の分光放射分布ＥSTD（λi）は既知の値であるから、図１１Ａに示す設定画面１３０には基準分光データを設定する欄を設けていない。標準環境下での基準分光データを可変にしたい場合は、その設定欄を別途設けることができる。
【０１８６】
最後に、図１５に戻り、ステップＳ２３Ａで設定されたメディア３６の種類と、ステップＳ２６Ａで設定された２つの色補正フィルタ２０８の種類と、ステップＳ２９Ａで設定されたラミネートフイルム４０の種類とからなる各々のプロファイル生成条件を保存する（ステップＳ３０Ａ）。
【０１８７】
作業者は、図１１Ａにおいて、生成・登録しようとするプロファイル名をテキストボックス１３８に入力した後、［生成］ボタン１４０を押下することにより、各種設定（設定データ１００）が自動的に記憶部７６に格納される。
【０１８８】
その後、図１０に示すように、記憶部７６から供給された設定データ１００、メディアの分光データ群１０２、ラミネートフイルムの分光データ群１０４、観察光源の分光データ群１０６及び色補正フィルタの分光データ群１０８の中から、設定データ１００と対応付けられた第１、第２、第３及び第４の分光データ１１２、１１４、１１６、１１８ａ及び１１８ｂがデータ選択部８６により選択される。測色値算出部８８により、第１、第２、第３及び第４の分光データ１１２、１１４、１１６、１１８ａ及び１１８ｂに基づきプロファイル生成条件における測色値データ１２０が算出される。
【０１８９】
以下同様にして、印刷プロファイルとしての３次元データ（Ｌ*ａ*ｂ*）を４次元データ（ＣＭＹＫ）に変換するＬＵＴ１２４を生成することができる。
【０１９０】
このような様々な構成を採ることにより、光源Ｓの分光データを測定若しくは推定することができる。
【０１９１】
なお、この発明は、上述した実施形態に限定されるものではなく、この発明の主旨を逸脱しない範囲で自由に変更できることは勿論である。
【０１９２】
例えば、本実施形態では、カラーチャート３８ｃが有するカラーパッチ４４の個数を１００個、分光データの数を９点、光波長の間隔を５０ｎｍとしているが、これらを自由に変更できるように構成してもよい。例えば、カラーパッチ４４の測色値をより高精度に算出するために、光波長の間隔を１０ｎｍ程度に設定することが好ましい。
【０１９３】
また、本実施形態では、印刷機１８がインクジェット方式である構成を採っているがこれに限定されることなく、電子写真、感熱方式等であっても本発明の作用効果を得ることができる。
【符号の説明】
【０１９４】
１０…印刷システム                        １４…編集装置
１６…画像処理装置                        １８…印刷機
２０…ラミネート処理装置                  ２２…測色計
２４…本体                                ２６…表示装置
２８…入力装置                            ３６…メディア
３８…印刷物                              ３８ｃ…カラーチャート
３８ｔ…テスト印刷物                      ４０…ラミネートフイルム
４２…保護膜付印刷物                      ４４…カラーパッチ
５２、６０、６８、７０、７２、７４、２１２…Ｉ／Ｆ
５４…ＲＩＰ                              ５６…色変換処理部
５８…印刷機ドライバ                      ６２…色管理部
６４…画像データ生成部                    ６６…組み合わせ評価部
７６…記憶部                              ７８…目標プロファイル処理部
８０…印刷プロファイル処理部              ８２…目標プロファイル生成部
８４…印刷プロファイル生成部              ８６…データ選択部
８８…測色値算出部                        ９０…ＬＵＴ生成部
１００…設定データ                        １０２…メディアの分光データ群
１０４…ラミネートフイルムの分光データ群
１０６…観察光源の分光データ群
１０８…色補正フィルタの分光データ群
１１２…第１の分光データ                  １１４…第２の分光データ
１１６…第３の分光データ
１１８ａ、１１８ｂ…第４の分光データ      １２０…測色値データ
１２２…ＣＭＹＫ値データ                  １２４…ＬＵＴ
１３０、２３０…設定画面                  １３８…テキストボックス
１３２、１３４、１３６、２２０、２２２…プルダウンメニュー
１４０、１４２、２２４、２３６、２３８…ボタン
２００…白色基準板                        ２０２…複合フィルタ
２０４…デジタルカメラ                    ２０６…非接触測色計
２０８、２０８ａ…色補正フィルタ          ２１０…分光データ推定部
Ｓ…光源                                  Ｏｂｓ…観察者
【図１】
0005457776.tif 000004
【図２】
0005457776.tif 000005
【図３】
0005457776.tif 000006
【図４】
0005457776.tif 000007
【図５】
0005457776.tif 000008
【図６】
0005457776.tif 000009
【図７】
0005457776.tif 000010
【図８】
0005457776.tif 000011
【図９】
0005457776.tif 000012
【図１０】
0005457776.tif 000013
【図１１】
0005457776.tif 000014
【図１２】
0005457776.tif 000015
【図１３】
0005457776.tif 000016
【図１４】
0005457776.tif 000017
【図１５】
0005457776.tif 000018